(57)【要約】【課題】  塗膜固形分率の調整の安定化や塗装品生産能率の向上を可能にする。【解決手段】  水系塗料による被塗物塗装か溶剤系塗料による被塗物塗装かのいずれかを選択的に行う塗装部１からの搬出被塗物Ｗに対し塗膜固形分率の調整処理を行う仮乾燥部３を設け、仮乾燥部３への供給加熱空気ＳＡを生成する加熱器１０と、水系塗膜処理のときには仮乾燥部３に対する加熱空気ＳＡの供給風量Ｑを大風量にし、かつ、溶剤系塗膜処理のときには仮乾燥部３に対する加熱空気ＳＡの供給風量Ｑを小風量にする風量制御手段１６と、加熱器１０の加熱出力を調整して仮乾燥部３に対する供給加熱空気ＳＡの温度ｔを設定値温度ｔｓに調整する加熱制御手段１６とを備える塗装設備において、加熱器１０における伝熱要素２０の遮風対象部分２０ａへの空気通風を遮る遮風作用状態とその遮りを解除する遮風解除状態とに切り換え自在な遮風手段２２ａ，２２ｂを設け、この遮風手段２２ａ，２２ｂを水系塗膜処理のときには遮風解除状態にし、かつ、溶剤系塗膜処理のときには遮風作用状態にする遮風制御手段１６を設ける。【選択図】        図１
2005238012.tif 000002
【特許請求の範囲】
【請求項１】
順次に搬入される被塗物に対して、水を溶媒とする水系塗料による被塗物塗装か有機溶剤を溶媒とする溶剤系塗料による被塗物塗装かのいずれかを選択的に行う塗装部と、
この塗装部から搬出される被塗物を順次、加熱空気に晒して、その被塗物に対し塗膜固形分率の調整処理を行う仮乾燥部とを設けるとともに、
空気通過路の横断面方向に分散させた伝熱要素により通過空気を加熱して前記仮乾燥部への供給加熱空気を生成する加熱器と、
前記仮乾燥部における処理対象の被塗物が先の塗装部において水系塗料の塗装を行った被塗物である水系塗膜処理のときには前記仮乾燥部に対する加熱空気の供給風量を大風量にし、かつ、前記仮乾燥部における処理対象の被塗物が先の塗装部において溶剤系塗料の塗装を行った被塗物である溶剤系塗膜処理のときには前記仮乾燥部に対する加熱空気の供給風量を小風量にする風量制御手段と、
前記仮乾燥部に対する供給加熱空気の温度の検出情報に基づき前記加熱器の加熱出力を調整して前記仮乾燥部に対する供給加熱空気の温度を設定値温度に調整する加熱制御手段とを備える塗装設備であって、
前記加熱器における前記伝熱要素の一部分を遮風対象部分としてその遮風対象部分への空気通風を遮る遮風作用状態とその遮りを解除する遮風解除状態とに切り換え自在な遮風手段を設け、
この遮風手段を前記水系塗膜処理のときには遮風解除状態にし、かつ、前記溶剤系塗膜処理のときには遮風作用状態にする遮風制御手段を設けてある塗装設備。
【請求項２】
順次に搬入される被塗物に対して、水を溶媒とする水系塗料による被塗物塗装か有機溶剤を溶媒とする溶剤系塗料による被塗物塗装かのいずれかを選択的に行う塗装部と、
この塗装部から搬出される被塗物を順次、減湿空気に晒して、その被塗物に対し塗膜固形分率の調整処理を行う仮乾燥部とを設けるとともに、
空気通過路の横断面方向に分散させた伝熱要素により通過空気を冷却減湿して前記仮乾燥部への供給加熱空気を生成する冷却器と、
前記仮乾燥部における処理対象の被塗物が先の塗装部において水系塗料の塗装を行った被塗物である水系塗膜処理のときには前記仮乾燥部に対する減湿空気の供給風量を大風量にし、かつ、前記仮乾燥部における処理対象の被塗物が先の塗装部において溶剤系塗料の塗装を行った被塗物である溶剤系塗膜処理のときには前記仮乾燥部に対する減湿空気の供給風量を小風量にする風量制御手段と、
前記仮乾燥部に対する供給減湿空気の湿度の検出情報に基づき前記冷却器の冷却出力を調整して前記仮乾燥部に対する供給減湿空気の湿度を設定値湿度に調整する減湿制御手段とを備える塗装設備であって、
前記冷却器における前記伝熱要素の一部分を遮風対象部分としてその遮風対象部分への空気通風を遮る遮風作用状態とその遮りを解除する遮風解除状態とに切り換え自在な遮風手段を設け、
この遮風手段を前記水系塗膜処理のときには遮風解除状態にし、かつ、前記溶剤系塗膜処理のときには遮風作用状態にする遮風制御手段を設けてある塗装設備。
【請求項３】
前記遮風手段を、遮風作用状態において前記伝熱要素の遮風対象部分を空気通過路中で閉塞空間内に格納した状態にする構成にしてある請求項１又は２記載の塗装設備。
【請求項４】
前記伝熱要素のうち遮風対象部分とそれ以外の遮風対象外部分とを熱源系統上で並列の関係にしてある請求項１〜３のいずれか１項に記載の塗装設備。
【請求項５】
前記風量制御手段による風量切り換えにおいて、前記仮乾燥部に対する加熱空気又は減湿の供給風量を漸次的に単調変化させるとともに、その漸次的な風量変化に同調させて前記遮風手段を遮風作用状態と遮風解除状態との間で漸次的に切り換わり作動させる構成にしてある請求項１〜４のいずれか１項に記載の塗装設備。
【発明の詳細な説明】
【技術分野】
【０００１】
本発明は、塗装を施した被塗物を加熱空気や減湿空気に晒して、その被塗物における塗膜の固形分率を調整（いわゆるフラッシュオフ処理）し、その上で、その被塗物に対しウエットオンウエット方式での重ね塗り塗装や焼付炉での塗膜焼付処理などを施す塗装設備に関する。
【背景技術】
【０００２】
従来、上記の如き塗装設備としては、順次に搬入される被塗物に対して、水を溶媒とする水系塗料による被塗物塗装か有機溶剤を溶媒とする溶剤系塗料による被塗物塗装かのいずれかを選択的に行う塗装部と、
この塗装部から搬出される被塗物を順次、加熱空気に晒して、その被塗物に対し塗膜固形分率の調整処理を行う仮乾燥部とを設けるとともに、
空気通過路の横断面方向に分散させた伝熱要素により通過空気を加熱して前記仮乾燥部への供給加熱空気を生成する加熱器と、
前記仮乾燥部における処理対象の被塗物が先の塗装部において水系塗料の塗装を行った被塗物である水系塗膜処理のときには前記仮乾燥部に対する加熱空気の供給風量を大風量にし、かつ、前記仮乾燥部における処理対象の被塗物が先の塗装部において溶剤系塗料の塗装を行った被塗物である溶剤系塗膜処理のときには前記仮乾燥部に対する加熱空気の供給風量を小風量にする風量制御手段と、
前記仮乾燥部に対する供給加熱空気の温度の検出情報に基づき前記加熱器の加熱出力を調整して前記仮乾燥部に対する供給加熱空気の温度を設定値温度に調整する加熱制御手段を装備した塗装設備がある（下記特許文献１，２参照）。
【０００３】
そしてまた、順次に搬入される被塗物に対して、水を溶媒とする水系塗料による被塗物塗装か有機溶剤を溶媒とする溶剤系塗料による被塗物塗装かのいずれかを選択的に行う塗装部と、
この塗装部から搬出される被塗物を順次、減湿空気に晒して、その被塗物に対し塗膜固形分率の調整処理を行う仮乾燥部とを設けるとともに、
空気通過路の横断面方向に分散させた伝熱要素により通過空気を冷却減湿して前記仮乾燥部への供給減湿空気を生成する冷却器と、
前記仮乾燥部における処理対象の被塗物が先の塗装部において水系塗料の塗装を行った被塗物である水系塗膜処理のときには前記仮乾燥部に対する減湿空気の供給風量を大風量にし、かつ、前記仮乾燥部における処理対象の被塗物が先の塗装部において溶剤系塗料の塗装を行った被塗物である溶剤系塗膜処理のときには前記仮乾燥部に対する減湿空気の供給風量を小風量にする風量制御手段と、
前記仮乾燥部に対する供給減湿空気の湿度の検出情報に基づき前記冷却器の冷却出力を調整して前記仮乾燥部に対する供給減湿空気の湿度を設定値湿度に調整する減湿制御手段を装備した塗装設備もある。
【０００４】
すなわち、溶剤系塗料の塗膜に比べ水系塗料の塗膜は塗料溶媒の蒸発が遅く、塗膜の固形分率をその後の処理に適した値まで上昇させるのに時間を要することに対し、上記の塗装設備では、仮乾燥部に対する加熱空気又は減湿空気の供給風量を仮乾燥部における処理対象被塗物の塗膜塗料種に応じて風量制御手段により切り換えることで、塗装部から搬出される被塗物が水系塗料による塗装が行われた被塗物、あるいは、溶剤系塗料による塗装が行われた被塗物のいずれの場合も、それら被塗物における塗膜の固形分率を仮乾燥部において同等の時間で適切な値に調整し得るようにし、これにより、生産中における水系塗料と溶剤系塗料との塗料種変更にかかわらず、生産能率を一定化するとともに高い塗装品質を維持するようにしている。
【特許文献１】特開２００３−２１１０５４号公報
【特許文献２】特開２００２−３４６４６０号公報
【発明の開示】
【発明が解決しようとする課題】
【０００５】
しかし従来、これらの塗装設備では、仮乾燥部における処理対象被塗物の塗膜塗料種に応じて仮乾燥部に対する加熱空気又は減湿空気の供給風量が切り換えられた際、その風量切り換え（換言すれば、加熱器や冷却器における処理空気風量の変化）により仮乾燥部に対する供給加熱空気の温度や供給減湿空気の湿度が変化することに対し、加熱器の加熱出力が加熱制御手段により温度復帰側に調整され、また、冷却器の冷却出力が減湿制御手段により湿度復帰側に調整されるものの、その変化した温度や湿度が設定値に復帰するのに長い時間（例えば、３〜５分間）を要して、不適切な温度の加熱空気や不適切な湿度の減湿空気が仮乾燥部に供給される状態が暫く続き、この為、塗膜の固形分率調整が不安定になって塗装品質の低下を招く、あるいは、被塗物搬送列中に被塗物の間引き空所を設けることで加熱空気の温度や減湿空気の湿度が設定値に復帰するまでの間の仮乾燥部への被塗物搬入を回避する処置が必要になって生産能率の低下を招く問題があった。
【０００６】
この実情に鑑み、本発明の主たる課題は、加熱器や冷却器に対する合理的な改良により上記問題を効果的に解消する点にある。
【課題を解決するための手段】
【０００７】
〔１〕本発明の第１特徴構成は塗装設備に係り、その特徴は、
順次に搬入される被塗物に対して、水を溶媒とする水系塗料による被塗物塗装か有機溶剤を溶媒とする溶剤系塗料による被塗物塗装かのいずれかを選択的に行う塗装部と、
この塗装部から搬出される被塗物を順次、加熱空気に晒して、その被塗物に対し塗膜固形分率の調整処理を行う仮乾燥部とを設けるとともに、
空気通過路の横断面方向に分散させた伝熱要素により通過空気を加熱して前記仮乾燥部への供給加熱空気を生成する加熱器と、
前記仮乾燥部における処理対象の被塗物が先の塗装部において水系塗料の塗装を行った被塗物である水系塗膜処理のときには前記仮乾燥部に対する加熱空気の供給風量を大風量にし、かつ、前記仮乾燥部における処理対象の被塗物が先の塗装部において溶剤系塗料の塗装を行った被塗物である溶剤系塗膜処理のときには前記仮乾燥部に対する加熱空気の供給風量を小風量にする風量制御手段と、
前記仮乾燥部に対する供給加熱空気の温度の検出情報に基づき前記加熱器の加熱出力を調整して前記仮乾燥部に対する供給加熱空気の温度を設定値温度に調整する加熱制御手段とを備える塗装設備において、
前記加熱器における前記伝熱要素の一部分を遮風対象部分としてその遮風対象部分への空気通風を遮る遮風作用状態とその遮りを解除する遮風解除状態とに切り換え自在な遮風手段を設け、
この遮風手段を前記水系塗膜処理のときには遮風解除状態にし、かつ、前記溶剤系塗膜処理のときには遮風作用状態にする遮風制御手段を設けてある点にある。
【０００８】
つまり、仮乾燥部に対する供給加熱空気の温度を設定値温度に調整するのに、単に加熱制御手段により加熱器の加熱出力を調整するだけの従来設備では、水系塗料の塗装を行った被塗物の塗膜固形分率を仮乾燥部において調整する水系塗膜処理のときと、溶剤系塗料の塗装を行った被塗物の塗膜固形分率を仮乾燥部において調整する溶剤系塗膜処理のときとを比べた場合、溶剤系塗膜処理では、加熱器において小風量の通過空気を設定値温度まで加熱するだけでよいことから（換言すれば、水系塗膜処理のときと同量の伝熱要素をもって水系塗膜処理のときよりも少風量の通過空気を設定値温度まで加熱するから）、加熱制御手段による加熱出力調整において伝熱要素の平衡表面温度が水系塗膜処理のときよりも低くなる。
【０００９】
この為、溶剤系塗膜処理から水系塗膜処理への移行として仮乾燥部に対する加熱空気の供給風量を大風量に切り換えた際、その風量切り換え（すなわち、加熱器における処理空気風量の増大）により仮乾燥部に対する供給加熱空気の温度が低下することに対し、加熱器の加熱出力が加熱制御手段により増大側に調整されるものの、加熱器における伝熱要素の表面温度を溶剤系塗膜処理の際の低い平衡温度から水系塗膜処理の際の高い平衡温度まで上昇させるのに加熱出力の多くが費やされるとともに相応の時間を要し、これが原因で、仮乾燥部に対する供給加熱空気の温度を設定値温度まで上昇復帰させるのに長い時間を要してしまう。
【００１０】
また逆に、水系塗膜処理から溶剤系塗膜処理への移行として仮乾燥部に対する加熱空気の供給風量を小風量に切り換えた際には、その風量切り換え（加熱器における処理空気風量の減少）により仮乾燥部に対する供給加熱空気の温度が上昇することに対し、加熱器の加熱出力が加熱制御手段により低下側に調整されるものの、加熱器における伝熱要素の表面温度を水系塗膜処理の際の高い平衡温度から溶剤系塗膜処理の際の低い平衡温度まで放熱により降下させるのに相応の時間を要し、これが原因で、仮乾燥部に対する供給加熱空気の温度を設定値温度に降下復帰させるのに長い時間を要してしまう。
【００１１】
これらのことに対し、上記の第１特徴構成を採用すれば、水系塗膜処理のときには遮風手段を遮風解除状態にすることで、加熱器における伝熱要素の全体で大風量の通過空気を設定値温度まで加熱するのに対し、溶剤系塗膜処理のときには加熱器における伝熱要素のうち遮風対象部分への空気通風が遮風手段により遮られることで、伝熱要素における他の部分（遮風対象外部分）により小風量の通過空気を設定値温度まで加熱する状態（すなわち、水系塗膜処理のときよりも実質的に少ない伝熱要素により小風量の通過空気を設定値温度まで加熱する状態）になる。
【００１２】
したがって、仮乾燥部に対する加熱空気の供給風量が小風量に切り換えられ、それに応じ加熱器の加熱出力が加熱制御手段により低下側に調整される溶剤系塗膜処理の際も、加熱器における伝熱要素のうち有効な遮風対象外部分の平衡表面温度は上記伝熱要素の実質的な減少分だけ従前に比べ高く維持（すなわち、上記遮風を行わない状態での溶剤系塗膜処理の場合よりも高く維持）され、また、遮風対象部分については空気通風が遮風手段により遮られて放熱が抑止されることで表面温度が高く維持され、これらのことから加熱器における伝熱要素の全体が溶剤系塗膜処理のときも比較的高い表面温度に維持されるようになる。
【００１３】
すなわち、このことにより水系塗膜処理の際の加熱器伝熱要素の表面温度（前述の如き高い平衡表面温度）と溶剤系塗膜処理の際の伝熱要素表面温度との差を従来設備に比べ小さくすることができて、その分、溶剤系塗膜処理から水系塗膜処理への移行として仮乾燥部に対する加熱空気の供給風量が大風量に切り換えられた際の供給加熱空気の一時的な温度低下においてその加熱空気の温度を設定値温度まで上昇復帰させるのに要する時間や、水系塗膜処理から溶剤系塗膜処理への移行として仮乾燥部に対する加熱空気の供給風量が小風量に切り換えられた際の加熱空気の一時的温度上昇においてその加熱空気の温度を設定値温度まで降下復帰させるのに要する時間を、従来設備に比べ短くすることができる。
【００１４】
そして、これら温度復帰時間の短縮により、仮乾燥部での塗膜固形分率調整を安定化することができて塗装品質の一層の向上が可能になり、また、被塗物搬送列中に被塗物の間引き空所を設けることで加熱空気の温度が設定値温度に復帰するまでの間の仮乾燥部への被塗物搬入を回避するといった処置も不要化ないし軽減することができて生産能率の一層の向上が可能になる。
【００１５】
なお、第１特徴構成の実施においては、水系塗膜処理の際と溶剤系塗膜処理の際との加熱器伝熱要素の表面温度の差を極力小さくして温度復帰時間の短縮を効果的に達成する上で、加熱器伝熱要素における遮風対象部分の容量比率（一般的には空気通過断面積の比率）を、水系塗膜処理から溶剤系塗膜処理への移行の際の仮乾燥部に対する加熱空気供給風量の減少分の比率と同じ比率ないしそれに近い比率にするのが望ましい。
【００１６】
〔２〕本発明の第２特徴構成は塗装設備に係り、その特徴は、
順次に搬入される被塗物に対して、水を溶媒とする水系塗料による被塗物塗装か有機溶剤を溶媒とする溶剤系塗料による被塗物塗装かのいずれかを選択的に行う塗装部と、
この塗装部から搬出される被塗物を順次、減湿空気に晒して、その被塗物に対し塗膜固形分率の調整処理を行う仮乾燥部とを設けるとともに、
空気通過路の横断面方向に分散させた伝熱要素により通過空気を冷却減湿して前記仮乾燥部への供給加熱空気を生成する冷却器と、
前記仮乾燥部における処理対象の被塗物が先の塗装部において水系塗料の塗装を行った被塗物である水系塗膜処理のときには前記仮乾燥部に対する減湿空気の供給風量を大風量にし、かつ、前記仮乾燥部における処理対象の被塗物が先の塗装部において溶剤系塗料の塗装を行った被塗物である溶剤系塗膜処理のときには前記仮乾燥部に対する減湿空気の供給風量を小風量にする風量制御手段と、
前記仮乾燥部に対する供給減湿空気の湿度の検出情報に基づき前記冷却器の冷却出力を調整して前記仮乾燥部に対する供給減湿空気の湿度を設定値湿度に調整する減湿制御手段とを備える塗装設備において、
前記冷却器における前記伝熱要素の一部分を遮風対象部分としてその遮風対象部分への空気通風を遮る遮風作用状態とその遮りを解除する遮風解除状態とに切り換え自在な遮風手段を設け、
この遮風手段を前記水系塗膜処理のときには遮風解除状態にし、かつ、前記溶剤系塗膜処理のときには遮風作用状態にする遮風制御手段を設けてある点にある。
【００１７】
つまり、前述の加熱空気の場合と同様、仮乾燥部に対する供給減湿空気の湿度を設定値湿度に調整するのに、単に減湿制御手段により冷却器の冷却出力を調整するだけの従来設備では、水系塗料の塗装を行った被塗物の塗膜固形分率を仮乾燥部において調整する水系塗膜処理のときと、溶剤系塗料の塗装を行った被塗物の塗膜固形分率を仮乾燥部において調整する溶剤系塗膜処理のときとを比べた場合、溶剤系塗膜処理では、冷却器において小風量の通過空気を設定値湿度まで冷却減湿するだけでよいことから（換言すれば、水系塗膜処理のときと同量の伝熱要素をもって水系塗膜処理のときよりも少風量の通過空気を設定値湿度まで冷却減湿するから）、減湿制御手段による冷却出力調整において伝熱要素の平衡表面温度が水系塗膜処理のときよりも高くなる。
【００１８】
この為、溶剤系塗膜処理から水系塗膜処理への移行として仮乾燥部に対する減湿空気の供給風量を大風量に切り換えた際、その風量切り換え（すなわち、冷却器における処理空気風量の増大）により仮乾燥部に対する供給減湿空気の湿度が上昇することに対し、冷却器の冷却出力が減湿制御手段により増大側に調整されるものの、冷却器における伝熱要素の表面温度を溶剤系塗膜処理の際の高い平衡温度から水系塗膜処理の際の低い平衡温度まで低下させるのに冷却出力の多くが費やされるとともに相応の時間を要し、これが原因で、仮乾燥部に対する供給減湿空気の湿度を設定値湿度まで低下復帰させるのに長い時間を要してしまう。
【００１９】
また逆に、水系塗膜処理から溶剤系塗膜処理への移行として仮乾燥部に対する減湿空気の供給風量を小風量に切り換えた際には、その風量切り換え（冷却器における処理空気風量の減少）により仮乾燥部に対する供給減湿空気の湿度が低下することに対し、冷却器の冷却出力が減湿制御手段により低下側に調整されるものの、冷却器における伝熱要素の表面温度を水系塗膜処理の際の低い平衡温度から溶剤系塗膜処理の際の高い平衡温度まで冷熱放熱により上昇させるのに相応の時間を要し、これが原因で、仮乾燥部に対する供給減湿空気の湿度を設定値湿度に上昇復帰させるのに長い時間を要してしまう。
【００２０】
これらのことに対し、上記の第２特徴構成を採用すれば、水系塗膜処理のときには遮風手段を遮風解除状態にすることで、冷却器における伝熱要素の全体で大風量の通過空気を設定値湿度まで冷却減湿するのに対し、溶剤系塗膜処理のときには冷却器における伝熱要素のうち遮風対象部分への空気通風が遮風手段により遮られることで、伝熱要素における他の部分（遮風対象外部分）により小風量の通過空気を設定値湿度まで冷却減湿する状態（すなわち、水系塗膜処理のときよりも実質的に少ない伝熱要素により小風量の通過空気を設定値湿度まで冷却減湿する状態）になる。
【００２１】
したがって、仮乾燥部に対する減湿空気の供給風量が小風量に切り換えられ、それに応じ冷却器の冷却出力が減湿制御手段により低下側に調整される溶剤系塗膜処理の際も、冷却器における伝熱要素のうち有効な遮風対象外部分の平衡表面温度は上記伝熱要素の実質的な減少分だけ従前に比べ低く維持（すなわち、上記遮風を行わない状態での溶剤系塗膜処理の場合よりも低く維持）され、また、遮風対象部分については空気通風が遮風手段により遮られて冷熱放熱が抑止されることで表面温度が低く維持され、これらのことから冷却器における伝熱要素の全体が溶剤系塗膜処理のときも比較的低い表面温度に維持されるようになる。
【００２２】
すなわち、このことにより水系塗膜処理の際の冷却器伝熱要素の表面温度（前述の如き低い平衡表面温度）と溶剤系塗膜処理の際の伝熱要素表面温度との差を従来設備に比べ小さくすることができて、その分、溶剤系塗膜処理から水系塗膜処理への移行として仮乾燥部に対する減湿空気の供給風量が大風量に切り換えられた際の供給減湿空気の一時的な湿度上昇においてその減湿空気の湿度を設定値湿度まで低下復帰させるのに要する時間や、水系塗膜処理から溶剤系塗膜処理への移行として仮乾燥部に対する減湿空気の供給風量が小風量に切り換えられた際の減湿空気の一時的湿度低下においてその減湿空気の湿度を設定値湿度まで上昇復帰させるのに要する時間を、従来設備に比べ短くすることができる。
【００２３】
そして、これら湿度復帰時間の短縮により、仮乾燥部での塗膜固形分率調整を安定化することができて塗装品質の一層の向上が可能になり、また、被塗物搬送列中に被塗物の間引き空所を設けることで減湿空気の温度が設定値湿度に復帰するまでの間の仮乾燥部への被塗物搬入を回避するといった処置も不要化ないし軽減することができて生産能率の一層の向上が可能になる。
【００２４】
なお、第２特徴構成の実施においては、第１特徴構成の場合と同様、水系塗膜処理の際と溶剤系塗膜処理の際との冷却器伝熱要素の表面温度の差を極力小さくして湿度復帰時間の短縮を効果的に達成する上で、冷却器伝熱要素における遮風対象部分の容量比率（一般的には空気通過断面積の比率）を、水系塗膜処理から溶剤系塗膜処理への移行の際の仮乾燥部に対する減湿空気供給風量の減少分の比率と同じ比率ないしそれに近い比率にするのが望ましい。
【００２５】
〔３〕本発明の第３特徴構成は、第１又は第２特徴構成の実施に好適な実施形態を特定するものであり、その特徴は、
前記遮風手段を、遮風作用状態において前記伝熱要素の遮風対象部分を空気通過路中で閉塞空間内に格納した状態にする構成にしてある点にある。
【００２６】
つまり、この第３特徴構成によれば、加熱器や冷却器において伝熱要素の遮風対象部分への空気通風を遮るのに、その遮風対象部分を空気通過路中で閉塞空間内に格納した状態にするから、その遮風手段の遮風作用状態（すなわち、溶剤系塗膜処理の際）において、加熱器伝熱要素における遮風対象部分の放熱による表面温度降下や、冷却器伝熱要素における遮風対象部分の冷熱放熱による表面温度上昇を一層効果的に抑止することができて、水系塗膜処理の際と溶剤系塗膜処理の際との加熱器伝熱要素や冷却器伝熱要素の表面温度の差を一層小さくすることができ、これにより、前述の温度復帰時間の短縮や湿度復帰時間の短縮を一層効果的に達成することができる。
【００２７】
〔４〕本発明の第４特徴構成は、第１〜第３特徴構成の実施に好適な実施形態を特定するものであり、その特徴は、
前記伝熱要素のうち遮風対象部分とそれ以外の遮風対象外部分とを熱源系統上で並列の関係にしてある点にある。
【００２８】
つまり、この第４特徴構成によれば、熱源系統上での並列の関係により、加熱器や冷却器における伝熱要素の遮風対象部分と遮風対象外部分とを相互の影響の少ない状態で互いに独立的に加熱出力機能や冷却出力機能させることができるから、遮風手段の遮風作用状態（溶剤系塗膜処理の際）において、加熱器伝熱要素における遮風対象部分と遮風対象外部分との各々の表面温度を高く維持することや、冷却器伝熱要素における遮風対象部分と遮風対象外部分との各々の表面温度を低く維持することを、それらの加熱出力機能や冷却出力機能の面からも一層確実にすることができ、これにより、水系塗膜処理の際と溶剤系塗膜処理の際との加熱器伝熱要素や冷却器伝熱要素の表面温度の差を小さくすることによる前述の温度復帰時間の短縮や湿度復帰時間の短縮を一層確実かつ効果的に達成することができる。
【００２９】
〔５〕本発明の第５特徴構成は、第１〜第４特徴構成の実施に好適な実施形態を特定するものであり、その特徴は、
前記風量制御手段による風量切り換えにおいて、前記仮乾燥部に対する加熱空気又は減湿の供給風量を漸次的に単調変化させるとともに、その漸次的な風量変化に同調させて前記遮風手段を遮風作用状態と遮風解除状態との間で漸次的に切り換わり作動させる構成にしてある点にある。
【００３０】
つまり、この第５特徴構成によれば、風量制御手段による風量切り換えにおいて仮乾燥部に対す加熱空気や減湿空気の供給風量を漸次的に単調変化させるから、その供給風量の変化に対し加熱制御手段による加熱出力調整や減湿制御手段による冷却出力調整の遅れを小さくして、その風量切り換え（すなわち、加熱器や冷却器における処理空気風量の変化）による加熱空気の温度変化や減湿空気の湿度変化そのものを小さくすることができる。
【００３１】
そして、その切り換え時における供給風量の漸次的な単調変化に同調させて、遮風手段を遮風作用状態と遮風解除状態との間で漸次的に切り換わり作動させるから、遮風手段の切り換わり作動による供給風量の外乱的な変動、及び、その外乱的な風量変動による加熱空気温度や減湿空気湿度の変動も効果的に防止でき、これらのことにより、前述の温度復帰時間の短縮や湿度復帰時間の短縮と相まって仮乾燥部での塗膜固形分率調整の安定性を一層高めることができる。
【発明を実施するための最良の形態】
【００３２】
図１は塗装設備における塗装ラインの途中部分を示し、１は下塗り塗装した被塗物Ｗ（本例では自動車ボディー）に対し上塗り塗装を行う上塗ブース、２は上塗り塗装した被塗物Ｗに対しウエットオンウエット方式でクリア塗装を行うクリアブース、３は上塗り塗装した被塗物Ｗをクリア塗装に先立ち加熱減湿空気ＳＡに晒して塗膜固形分率の調整を行うフラッシュオフブースであり、これら上塗ブース１、フラッシュオフブース３、クリアブース２に対し被塗物Ｗをタクト式縦列搬送により順次に通過させて塗装品を生産する。
【００３３】
４は上塗ブース１とフラッシュオフブース３との間に設けた前静置室、５はフラッシュオフブース３とクリアブース２との間に設けた後静置室であり、前静置室４では上塗り塗装直後の塗料塗膜を落ち着かせ、後静置室５では加熱減湿空気ＳＡにより高温化した被塗物Ｗ及びその塗膜を降温させる。
【００３４】
上塗ブース１では、生産計画にしたがって、水を溶媒とする水系塗料による上塗り塗装と有機溶剤を溶媒とする溶剤系塗料による上塗り塗装とを選択的に行い、これに対し、フラッシュオフブース３では、図２に示す如く、塗膜固形分率の調整を行う処理対象の被塗物Ｗが水系塗料による上塗り塗装が行われた被塗物である水系塗膜処理のとき、加熱減湿空気ＳＡの供給風量Ｑが自動的に所定の大風量Ｑａに切り換えられ、また、処理対象の被塗物Ｗが溶剤系塗料による上塗り塗装が行われた被塗物である溶剤系塗膜処理のとき、加熱減湿空気ＳＡの供給風量Ｑが自動的に所定の小風量Ｑｂ（例えば、Ｑｂ＝２／５×Ｑａ）に切り換えられる。
【００３５】
すなわち、この風量切り換えにより、水系塗膜処理及び溶剤系塗膜処理のいずれの場合も、フラッシュオフブース３において同じ処理時間（すなわち、同じブース内在置時間）で塗膜固形分率をその後のクリア塗装に適した値まで調整し得るようにしてある。
【００３６】
６はフラッシュオフブース３に供給する加熱減湿空気ＳＡの生成部であり、この生成部６では、外気路７を通じて取り入れた外気ＯＡを冷却器８（例えば冷水コイル）により冷却減湿することで減湿空気ＳＡ′を生成し、さらに、この減湿空気ＳＡ′とフラッシュオフブース３から還気路９を通じて戻る還気空気ＲＡとの混合空気ＳＡ″を加熱器１０（例えば蒸気コイル）により加熱することで加熱減湿空気ＳＡを生成し、この加熱減湿空気ＳＡをフィルタ１１で浄化した上で給気ファン１２により給気路１３を通じてフラッシュオフブース３に送給する。
【００３７】
１４はフラッシュオフブース３に供給する加熱減湿空気ＳＡの絶対湿度ｘを検出する湿度センサ、１５はフラッシュオフブース３に供給する加熱減湿空気ＳＡの温度ｔを検出する温度センサ、１６は制御器であり、この制御器１６は、湿度センサ１４による湿度ｘの検出情報に基づき冷却器８に対する低温熱源熱媒Ｃの供給流量を調整弁Ｖａにより調整（すなわち、冷却器８の冷却出力を調整）することで、フラッシュオフブース３に対し送給する加熱減湿空気ＳＡの絶対湿度ｘを塗膜固形分率の調整に適した設定値湿度ｘｓに調整する減湿制御を実行する。
【００３８】
また、この制御器１６は、温度センサ１５による温度ｔの検出情報に基づき加熱器１０に対する高温熱源熱媒Ｈの供給流量を調整弁Ｖｂにより調整（すなわち、加熱器１０の加熱出力を調整）することで、フラッシュオフブース３に対し送給する加熱減湿空気ＳＡの温度ｔを塗膜固形分率の調整に適した設定値温度ｔｓに調整する加熱制御を実行する。
【００３９】
そしてまた、この制御器１６は、上記減湿制御及び加熱制御とともに、生産計画情報に基づきインバータ制御により給気ファン１２の出力（すなわち、送風量Ｑ）を調整することで、フラッシュオフブース３に対する加熱減湿空気ＳＡの供給風量Ｑを水系塗膜処理のときには所定大風量Ｑａにし、かつ、溶剤系塗膜処理のときには所定小風量Ｑｂにする風量制御を実行する。
【００４０】
なお、１７は排気ファンであり、フラッシュオフブース３から還気路９へ導出する還気空気ＲＡのうち外気ＯＡの取り入れ風量に相当する風量分を排気空気ＥＡとして、この排気ファン１７により排気路１８を通じ系外へ排出する。
【００４１】
加熱器１０及び冷却器８は夫々、図３〜図５に示す如く、収容ケース１９内の空気通過路ｆに対し横断姿勢で配置（すなわち、加熱器１０及び冷却器８夫々の伝熱要素である多数の伝熱管２０を空気通過路ｆの横断面方向に分散させて配置）するが、加熱器１０は、通過空気ＳＡ″に対し互いに並列の関係に配置して互いの通風経路ｆ１，ｆ２を仕切板２１により仕切った第１加熱部１０Ａと第２加熱部１０Ｂとに分割してあり、空気通過方向において第１加熱部１０Ａの前後には、第１加熱部１０Ａの通風経路ｆ１をその入口側及び出口側の夫々において開閉する自動ダンパ２２ａ，２２ｂを設けてある。
【００４２】
つまり、これら自動ダンパ２２ａ，２２ｂを閉じることにより、第１加熱部１０Ａに属する伝熱管２０ａ（すなわち、加熱器１０における伝熱管２０のうちの一部分）を、空気通過路ｆ中において両自動ダンパ２２ａ，２２ｂと仕切板２１と収納ケース１９とで形成される閉塞空間内に格納した状態にして、第１加熱部１０Ａの伝熱管２０ａに対する空気通風を遮るようにしてある。
【００４３】
また、加熱器１０における第１加熱部１０Ａの容量比率（すなわち、伝熱管２０を均等に分散配置する本例では加熱器１０において第１加熱部１０Ａが占める空気通過断面積の比率）は、水系塗膜処理から溶剤系塗膜処理への移行の際のフラッシュオフブース３に対する加熱減湿空気ＳＡの供給風量Ｑの減少分の比率（（Ｑａ−Ｑｂ）／Ｑａ）と同じ比率にしてあり、さらに、第１加熱部１０Ａに属する伝熱管２０ａと第２加熱部１０Ｂに属する伝熱管２０ｂとに対しては高温熱源流体Ｈを各別の分配ヘッダ２３ａ，２３ｂを通じ並列に供給する構造にして、第１加熱部１０Ａの伝熱管２０ａと第２加熱部１０Ｂの伝熱管２０ｂとを熱源系統上でも並列の関係にしてある。
【００４４】
一方、冷却器８は、加熱器１０と同様（図３〜図５参照）、通過空気ＯＡに対し互いに並列の関係に配置して互いの通風経路ｆ１，ｆ２を仕切板２１により仕切った第１冷却部８Ａと第２冷却部８Ｂとに分割してあり、空気通過方向において第１冷却部８Ａの前後には、第１冷却部８Ａの通風経路ｆ１をその入口側及び出口側の夫々において開閉する自動ダンパ２２ａ，２２ｂを設け、これら自動ダンパ２２ａ，２２ｂを閉じることにより、第１冷却部８Ａに属する伝熱管２０ａ（すなわち、冷却器８における伝熱管２０のうちの一部分）を、空気通過路ｆ中において両自動ダンパ２２ａ，２２ｂと仕切板２１と収納ケース１９とで形成される閉塞空間内に格納した状態にして、第１冷却部８Ａの伝熱管２０ａに対する空気通風を遮るようにしてある。
【００４５】
また、冷却器８における第１冷却部８Ａの容量比率（すなわち、伝熱管２０を均等に分散配置する本例では冷却器８において第１冷却部８Ａが占める空気通過断面積の比率）は、水系塗膜処理から溶剤系塗膜処理への移行の際のフラッシュオフブース３に対する加熱減湿空気ＳＡの供給風量Ｑの減少分の比率（（Ｑａ−Ｑｂ）／Ｑａ）と同じ比率にしてあり、さらに、第１冷却部８Ａに属する伝熱管２０ａと第２冷却部８Ｂに属する伝熱管２０ｂとに対しては低温熱源流体Ｃを各別の分配ヘッダ２３ａ，２３ｂを通じ並列に供給する構造にして、第１冷却部８Ａの伝熱管２０ａと第２冷却部８Ｂの伝熱管２０ｂとを熱源系統上でも並列の関係にしてある。
【００４６】
加熱器１０及び冷却器８を上記の如き構造にするのに対し、制御器１６は、図２に示す如く、水系塗膜処理から溶剤系塗膜処理への移行の際、フラッシュオフブース３に対する加熱減湿空気ＳＡの供給風量Ｑを大風量Ｑａから小風量Ｑｂへ切り換えるのに伴い、加熱器１０及び冷却器８の夫々における自動ダンパ２２ａ，２２ｂを開き状態から閉じ状態に切り換え、かつ、溶剤系塗膜処理から水系塗膜処理への移行の際、フラッシュオフブース３に対する加熱減湿空気ＳＡの供給風量Ｑを小風量Ｑｂから大風量Ｑａへ切り換えるのに伴い、加熱器１０及び冷却器８の夫々における自動ダンパ２２ａ，２２ｂを閉じ状態から開き状態に切り換える遮風制御を前記風量制御とともに実行する構成にしてある。
【００４７】
つまり、溶剤系塗膜処理の際はフラッシュオフブース３に対する加熱減湿空気ＳＡの供給風量Ｑ（換言すれば、加熱器１０及び冷却器８の夫々における処理空気風量）が小風量Ｑｂに切り換えられることに応じ、加熱器１０の加熱出力及び冷却器８の冷却出力も前記加熱制御及び減湿制御により低下側に調整されるが、上記遮風制御により溶剤系塗膜処理のときに加熱器１０における自動ダンパ２２ａ，２２ｂを閉じ状態にして、第１加熱部１０Ａの伝熱管２０ａに対する空気通風を遮ることで、加熱器１０の加熱出力が低下側に調整される溶剤系塗膜処理の際も、その遮風を行わない場合に比べ通風側である第２加熱部１０Ｂにおける伝熱管２０ｂの平衡表面温度を伝熱管２０の実質的減少分だけ高く維持し、また、遮風側である第１加熱部１０Ａの伝熱管２０ａについては空気通風を遮って放熱を抑止することで表面温度を高く維持し、これにより、加熱器１０の全体について水系塗膜処理の際と溶剤系塗膜処理の際との伝熱管表面温度の差を小さくするようにしてある。
【００４８】
また同様に、上記遮風制御により溶剤系塗膜処理のときに冷却器８における自動ダンパ２２ａ，２２ｂを閉じ状態にして、第１冷却部８Ａの伝熱管２０ａに対する空気通風を遮ることで、冷却器８の冷却出力が低下側に調整される溶剤系塗膜処理の際も、その遮風を行わない場合に比べ通風側である第２冷却部８Ｂにおける伝熱管２０ｂの平衡表面温度を伝熱管２０の実質的減少分だけ低く維持し、また、通風側である第１冷却部８Ａの伝熱管２０ａについては空気通風を遮って冷熱放熱を抑止することで表面温度を低く維持し、これにより、加熱器１０と同じく冷却器８の全体について水系塗膜処理の際と溶剤系塗膜処理の際との伝熱管表面温度の差を小さくするようにしてある。
【００４９】
そして、このように加熱器１０及び冷却器８の夫々について水系塗膜処理の際と溶剤系塗膜処理の際との伝熱管表面温度の差を小さくすることで、溶剤系塗膜処理から水系塗膜処理への移行としてフラッシュオフブース３に対する加熱減湿空気ＳＡの供給風量Ｑが大風量Ｑａに切り換えられたときの風量変化による加熱減湿空気ＳＡの一時的な温度低下及び湿度上昇において、その加熱減湿空気ＳＡの温度ｔを設定値温度ｔｓまで上昇復帰させるのに要する時間、及び、その加熱減湿空気ＳＡの湿度ｘを設定値湿度ｘｓまで低下復帰させるのに要する時間の夫々を短縮し、また、水系塗膜処理から溶剤系塗膜処理への移行としてフラッシュオフブース３に対する加熱減湿空気ＳＡの供給風量Ｑが小風量Ｑｂに切り換えられたときの風量変化による加熱減湿空気ＳＡの一時的な温度上昇及び湿度低下において、その加熱減湿空気ＳＡの温度ｔを設定値温度ｔｓまで降下復帰させるのに要する時間、及び、その加熱減湿空気ＳＡの湿度ｘを設定値湿度ｘｓまで上昇復帰させるのに要する時間の夫々を短縮する。
【００５０】
なお、制御器１６は、前述の風量制御においてフラッシュオフブース３に対する加熱減湿空気ＳＡの供給風量Ｑを切り換える際には、給気ファン１２の出力をインバータ制御により漸次的に単調変化させることで、フラッシュオフブース３に対する加熱減湿空気ＳＡの供給風量Ｑを図２に示す如く漸次的に単調変化させる形態で切り換えるようにしてあり、また、前述の遮風制御において加熱器１０及び冷却器８夫々の自動ダンパ２２ａ，２２ｂを開閉する際には、同図２に示す如く、上記風量制御における漸次的な風量変化に同調させて自動ダンパ２２ａ，２２ｂを開閉切り換わり作動させるようにしてある。
【００５１】
以上、本実施形態において、上塗ブース１は本発明の第１及び第２特徴構成で云う塗装部に相当し、フラッシュオフブース３は本発明の第１及び第２特徴構成で云う仮乾燥部に相当し、加熱器１０及び冷却器８の伝熱管２０は第１及び第２特徴構成で云う空気通過路ｆの横断面方向に分散させた空気加熱用や空気冷却用の伝熱要素に相当する。
【００５２】
また、制御器１６は本発明の第１及び第２特徴構成で云う風量制御手段を構成するとともに、本発明の第１特徴構成で云う加熱制御手段、及び、本発明の第２特徴構成で云う減湿制御手段を構成し、加熱器１０に装備の自動ダンパ２２ａ，２２ｂは本発明の第１特徴構成で云う遮風手段、すなわち、加熱器１０における伝熱要素の一部分（第１加熱部１０Ａの伝熱管２０ａ）を遮風対象部分としてその遮風対象部分への空気通風を遮る遮風作用状態とその遮りを解除する遮風解除状態とに切り換え自在な遮風手段を構成し、冷却器８に装備の自動ダンパ２２ａ，２２ｂは本発明の第２特徴構成で云う遮風手段、すなわち、冷却器８における伝熱要素の一部分（第１冷却部８Ａの伝熱管２０ａ）を遮風対象部分としてその遮風対象部分への空気通風を遮る遮風作用状態とその遮りを解除する遮風解除状態とに切り換え自在な遮風手段を構成する。
【００５３】
そして、制御器１６は、本発明の第１及び第２特徴構成で云う遮風制御手段、すなわち、遮風手段２２ａ，２２ｂを水系塗膜処理のときには遮風解除状態にし、かつ、溶剤系塗膜処理のときには遮風作用状態にする遮風制御手段を構成する。
【００５４】
また、本実施形態では、上記遮風手段２２ａ，２２ｂ（自動ダンパ）を、遮風作用状態において加熱器１０や冷却器８における伝熱要素の遮風対象部分（第１加熱部１０Ａの伝熱管２０ａ、第１冷却部８Ａの伝熱管２０ａ）を空気通過路ｆ中で閉塞空間内に格納した状態にする構成にしてあり、さらに、加熱器１０や冷却器８を構成するのに、それらの伝熱要素のうち遮風対象部分（第１加熱部１０Ａの伝熱管２０ａ、第１冷却部８Ａの伝熱管２０ａ）とそれ以外の遮風対象外部分（第２加熱部１０Ｂの伝熱管２０ｂ、第２冷却部８Ｂの伝熱管２０ｂ）とを熱源系統上で並列の関係にしてある。
【００５５】
そしてまた、風量制御手段としての制御器１６による風量切り換えにおいては、仮乾燥部３に対する加熱減湿空気ＳＡの供給風量Ｑを漸次的に単調変化させるとともに、その漸次的な風量変化に同調させて遮風手段２２ａ，２２ｂを遮風作用状態と遮風解除状態との間で漸次的に切り換わり作動させる構成にしてある。
【００５６】
〔別実施形態〕
次に本発明の別実施形態を列記する。
本発明の第１又は第２特徴構成の実施において、水系塗料による被塗物塗装か溶剤系塗料による被塗物塗装かを選択的に行う塗装部は、下塗り塗装後の上塗り塗装を行う塗装部に限られるものではなく、塗装品生産におけるいずれの段階の塗装を行う塗装部であってもよい。
【００５７】
本発明の第１又は第２特徴構成の実施において、上記塗装部から搬出される被塗物Ｗを、順次、加熱空気又は減湿空気に晒して、その被塗物Ｗに対し塗膜固形分率の調整処理を行う仮乾燥部は、前述のクリア塗装の如き重ね塗り塗装に先立つ塗膜固形分率の調整を目的とする工程部分に限られるものではなく、塗膜の焼付処理に先立つ塗膜固形分率の調整を目的とする工程部分などであってもよい。
【００５８】
前述の実施形態では、本発明の第１及び第２特徴構成の並行実施として、仮乾燥部に対し加熱減湿空気を供給する例を示したが、これに代え、第１ないし第２特徴構成の単独実施として、減湿処理を行っていない加熱空気や加熱処理を行っていない減湿空気を仮乾燥部に供給する形態を採用してもよい。
【００５９】
本発明の第１特徴構成の実施において、加熱器は蒸気コイル、温水コイル、電熱ヒータ、ヒートポンプの凝縮器として機能する冷媒コイルなど、どのような加熱方式のものであってもよく、また、本発明の第２特徴構成の実施において、冷却器は冷水コイル、ヒートポンプの蒸発器として機能する冷媒コイルなど、どのような冷却方式のものであってもよい。
【００６０】
本発明の第１又は第２特徴構成で云う空気通風路の横断面方向に分散させた伝熱要素とは、空気通過方向に対する直交面の面内で分散させた伝熱要素のみを意味するものではなく、空気通過方向に対する斜交面の面内で分散させた伝熱要素なども含むものであり、略言すれば空気通過路の幅方向への分散成分を有する伝熱要素であればよい。
【００６１】
また、その伝熱要素は前述の実施形態で示した如き伝熱管に限られるものではなく、例えば加熱器に電熱ヒータを採用する場合には電熱線などの発熱部分が伝熱要素となる。
【００６２】
加熱器や冷却器における伝熱要素の一部分を遮風対象部分としてその遮風対象部分への空気通風を遮る遮風作用状態とその遮りを解除する遮風解除状態とに切り換え自在な遮風手段は、前述の実施形態で示した構造に限られるものではなく種々の構成変更が可能であり、場合によっては、遮風作用状態において空気通過方向における遮風対象部分の上流側でのみ遮風作用する構造のものであってもよい。
【００６３】
前述の実施形態では、自動車ボディーを被塗物とする例を示したが、本発明の第１又は第２特徴構成の実施において被塗物は自動車ボディーに限られるものではなく、単なる鋼材や家電製品の外装部などであってもよい。
【産業上の利用可能性】
【００６４】
本発明は、塗膜固形分率の調整処理を要する塗装で水系塗料による被塗物塗装と溶剤系塗料による被塗物塗装とを選択的に行う各種塗装品用の塗装設備に広く利用できる。
【図面の簡単な説明】
【００６５】
【図１】塗装ラインにおけるフラッシュオフブース周りの設備構成を示す図
【図２】水系塗膜処理と溶剤系塗膜処理との切り換え形態を説明するグラフ
【図３】加熱器及び冷却器の構造を示す側面図
【図４】加熱器及び冷却器の構造を示す正面図
【図５】加熱器及び冷却器の構造を示す平面図
【符号の説明】
【００６６】
１              塗装部
３              仮乾燥部
８              冷却器
１０            加熱器
１６            風量制御手段，加熱制御手段、減湿制御手段、遮風制御手段
２０            伝熱要素
２０ａ          遮風対象部分
２０ｂ          遮風対象外部分
２２ａ，２２ｂ  遮風手段
ｆ              空気通過路
ＯＡ，ＳＡ″    通過空気
Ｑ              供給風量
ＳＡ            加熱空気，減湿空気
ｔ              空気温度
ｔｓ            設定温度
Ｗ              被塗物
【図１】
2005238012.tif 000003
【図２】
2005238012.tif 000004
【図３】
2005238012.tif 000005
【図４】
2005238012.tif 000006
【図５】
2005238012.tif 000007